(57)【要約】【課題】  アクチュエーターの負荷を必要最低限にした上で起動時間の短縮化を図る。【解決手段】  アクチュエーターによって光軸回り方向へ回転される第１の鏡筒と、第１の鏡筒を光軸回り方向へ回転自在に支持すると共に光軸方向へ移動可能に支持する第２の鏡筒とを備え、第１の鏡筒と第２の鏡筒は一方にカムフォロアが設けられ他方にカムフォロアが摺動自在に係合されるカム溝が形成され、カム溝は光軸に対してそれぞれ傾斜された第１の摺動部と第２の摺動部を有すると共に第１の摺動部の光軸に対する傾斜角度が第２の摺動部の光軸に対する傾斜角度より小さくされ、沈胴状態から撮影状態に遷移されるときにカムフォロアが第１の摺動部を摺動されて第１の鏡筒が第２の鏡筒に対して繰り出され、撮影状態から沈胴状態に遷移されるときにカムフォロアが第２の摺動部を摺動されて第１の鏡筒が第２の鏡筒に対して繰り込まれる。【選択図】図１４
2015055726.tif 000002
【特許請求の範囲】
【請求項１】
光路長が最短にされた沈胴状態と前記沈胴状態より光路長が長くされた撮影状態との間で伸縮可能とされ、
アクチュエーターによって光軸回り方向へ回転される第１の鏡筒と、
前記第１の鏡筒を光軸回り方向へ回転自在に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
レンズ鏡筒。
【請求項２】
前記第１の鏡筒を前記第２の鏡筒に対して繰り出す方向へ付勢する付勢部が設けられた
請求項１に記載のレンズ鏡筒。
【請求項３】
前記付勢部としてバネ部材が用いられた
請求項２に記載のレンズ鏡筒。
【請求項４】
前記付勢部としてマグネットが用いられた
請求項２に記載のレンズ鏡筒。
【請求項５】
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成された
請求項１に記載のレンズ鏡筒。
【請求項６】
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成された
請求項１に記載のレンズ鏡筒。
【請求項７】
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成され、
前記撮影状態形成部の底面における前記第１の摺動部との交点を横切る位置に溝状の案内部が形成され、
前記カムフォロアに前記カム溝の深さ方向へ移動可能とされた被案内部が設けられ、
前記カムフォロアが前記撮影状態形成部を前記第２の摺動部へ向けて摺動されるときに前記被案内部が前記案内部に挿入されて摺動される
請求項１に記載のレンズ鏡筒。
【請求項８】
前記被案内部を前記カム溝の底面に押し付ける方向へ付勢する押付バネが設けられた
請求項７に記載のレンズ鏡筒。
【請求項９】
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成され、
前記沈胴状態形成部の底面における前記第２の摺動部との交点を横切る位置に溝状の案内部が形成され、
前記カムフォロアに前記カム溝の深さ方向へ移動可能とされた被案内部が設けられ、
前記カムフォロアが前記沈胴状態形成部を前記第１の摺動部へ向けて摺動されるときに前記被案内部が前記案内部に挿入されて摺動される
請求項１に記載のレンズ鏡筒。
【請求項１０】
前記被案内部を前記カム溝の底面に押し付ける方向へ付勢する押付バネが設けられた
請求項９に記載のレンズ鏡筒。
【請求項１１】
内部に撮影光学系が配置されたレンズ鏡筒と前記撮影光学系を介して取り込まれた光学像を電気的信号に変換する撮像素子とを備え、
前記レンズ鏡筒は、
光路長が最短にされた沈胴状態と前記沈胴状態より光路長が長くされた撮影状態との間で伸縮可能とされ、
アクチュエーターによって光軸回り方向へ回転される第１の鏡筒と、
前記第１の鏡筒を光軸回り方向へ回転自在に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
撮像装置。
【発明の詳細な説明】
【技術分野】
【０００１】
本技術は沈胴状態と撮影状態の間で伸縮されるレンズ鏡筒及びこれを備えた撮像装置についての技術分野に関する。
【先行技術文献】
【特許文献】
【０００２】
【特許文献１】特開２００８−３２７２号公報
【背景技術】
【０００３】
ビデオカメラやスチルカメラ等の各種の撮像装置には、内部にレンズ群等の各種の光学部品や光学素子等の撮影光学系が配置されたレンズ鏡筒が伸縮自在に設けられ、レンズ鏡筒が非撮影時に装置本体に収納され撮影時に装置本体から繰り出されてズーム倍率の変更等を行うことが可能な所謂沈胴タイプがある（例えば、特許文献１参照）。
【０００４】
撮影の開始等の使用時にはレンズ鏡筒が伸長されて沈胴状態から撮影状態に遷移され、撮影の終了等の不使用時にはレンズ鏡筒が短縮されて撮影状態から沈胴状態に遷移される。
【０００５】
沈胴タイプの撮像装置にあっては、環状の複数の鏡筒が設けられており、アクチュエーターの駆動力によって所定の鏡筒が光軸回り方向へ回転しながら光軸方向へ移動されてレンズ鏡筒が伸縮される。
【０００６】
このような撮像装置にあっては、沈胴タイプのレンズ鏡筒が設けられていることにより、非撮影時における小型化（薄型化）と撮影時における良好な光学性能の確保との両立を図ることが可能になる。
【０００７】
上記のような沈胴タイプのレンズ鏡筒においては、所定の鏡筒に設けられたカムフォロアが他の鏡筒に形成され光軸に対して傾斜されたカム溝に摺動自在に係合され、アクチュエーターの駆動力によって回転された鏡筒のカムフォロアがカム溝を摺動されることにより光軸方向へ移動される。
【０００８】
特許文献１に記載された沈胴タイプのレンズ鏡筒を有する撮像装置にあっては、カム溝に退避経路を形成し、光軸方向においてレンズ鏡筒に負荷が付与されたときにカムフォロアが退避経路に係合されるようにし、レンズ鏡筒に負荷が付与されたときのカムフォロアのカム溝からの脱落を防止している。
【０００９】
上記したように、沈胴タイプのレンズ鏡筒にあっては、カムフォロアがカム溝に摺動自在に係合され所定の鏡筒が回転しながら光軸方向へ移動される構成にされているため、カム溝は光軸に対して所定の角度傾斜されている。
【発明の概要】
【発明が解決しようとする課題】
【００１０】
ところが、カム溝の光軸に対する傾斜角度が小さいと、その分、鏡筒の光軸方向への移動に対する作動負荷が大きくなり、アクチュエーターの負荷が増加してしまう。
【００１１】
一方、鏡筒の光軸方向への移動に対する作動負荷を考慮してカム溝の光軸に対する傾斜角度を大きくすると、電源を投入して撮影を開始しようとするときに沈胴状態から撮影状態に遷移されるまでの撮像装置の起動時間が長くなってしまい、撮影機会を逸する等の不都合を生じるおそれがある。
【００１２】
そこで、本技術レンズ鏡筒及び撮像装置は、上記した問題点を克服し、アクチュエーターの負荷を必要最低限にした上で起動時間の短縮化を図ることを目的とする。
【課題を解決するための手段】
【００１３】
第１に、本技術に係るレンズ鏡筒は、光路長が最短にされた沈胴状態と前記沈胴状態より光路長が長くされた撮影状態との間で伸縮可能とされ、アクチュエーターによって光軸回り方向へ回転される第１の鏡筒と、前記第１の鏡筒を光軸回り方向へ回転自在に支持すると共に光軸方向へ移動可能に支持する第２の鏡筒とを備え、前記第１の鏡筒と前記第２の鏡筒は一方にカムフォロアが設けられ他方に前記カムフォロアが摺動自在に係合されるカム溝が形成され、前記第１の鏡筒が光軸回り方向へ回転されたときに前記カムフォロアが前記カム溝を摺動されることにより前記第１の鏡筒が前記第２の鏡筒に対して光軸方向へ移動可能とされ、前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、前記沈胴状態から前記撮影状態に遷移されるときに前記カムフォロアが前記第１の摺動部を摺動されて前記第１の鏡筒が前記第２の鏡筒に対して繰り出され、前記撮影状態から前記沈胴状態に遷移されるときに前記カムフォロアが前記第２の摺動部を摺動されて前記第１の鏡筒が前記第２の鏡筒に対して繰り込まれるものである。
【００１４】
これにより、沈胴状態から撮影状態に遷移されるときの時間が短縮化されると共に撮影状態から沈胴状態に遷移されるときに必要なアクチュエーターの駆動力が沈胴状態から撮影状態に遷移されるときに必要なアクチュエーターの駆動力より低下される。
【００１５】
第２に、上記したレンズ鏡筒においては、前記第１の鏡筒を前記第２の鏡筒に対して繰り出す方向へ付勢する付勢部が設けられることが望ましい。
【００１６】
これにより、第１の鏡筒がアクチュエーターの駆動力と付勢部の付勢力との合力によって第２の鏡筒に対して繰り出される。
【００１７】
第３に、上記したレンズ鏡筒においては、前記付勢部としてバネ部材が用いられることが望ましい。
【００１８】
これにより、第１の鏡筒がアクチュエーターの駆動力とバネ部材の付勢力との合力によって第２の鏡筒に対して繰り出される。
【００１９】
第４に、上記したレンズ鏡筒においては、前記付勢部としてマグネットが用いられることが望ましい。
【００２０】
これにより、第１の鏡筒がアクチュエーターの駆動力とマグネットの付勢力との合力によって第２の鏡筒に対して繰り出される。
【００２１】
第５に、上記したレンズ鏡筒においては、前記カム溝に、光軸に直交する方向へ延び前記撮影状態において前記カムフォロアが係合される撮影状態形成部が形成され、前記撮影状態形成部の中間部に前記第１の摺動部との交点が形成され、前記撮影状態形成部の一端部に前記第２の摺動部との交点が形成されることが望ましい。
【００２２】
これにより、撮影状態形成部が直線状に形成され、カムフォロアが撮影状態形成部を第２の摺動部へ向けて摺動し易くなる。
【００２３】
第６に、上記したレンズ鏡筒においては、前記カム溝に、光軸に直交する方向へ延び前記沈胴状態において前記カムフォロアが係合される沈胴状態形成部が形成され、前記沈胴状態形成部の中間部に前記第２の摺動部との交点が形成され、前記沈胴状態形成部の一端部に前記第１の摺動部との交点が形成されることが望ましい。
【００２４】
これにより、沈胴状態形成部が直線状に形成され、カムフォロアが沈胴状態形成部を第１の摺動部へ向けて摺動し易くなる。
【００２５】
第７に、上記したレンズ鏡筒においては、前記カム溝に、光軸に直交する方向へ延び前記撮影状態において前記カムフォロアが係合される撮影状態形成部が形成され、前記撮影状態形成部の中間部に前記第１の摺動部との交点が形成され、前記撮影状態形成部の一端部に前記第２の摺動部との交点が形成され、前記撮影状態形成部の底面における前記第１の摺動部との交点を横切る位置に溝状の案内部が形成され、前記カムフォロアに前記カム溝の深さ方向へ移動可能とされた被案内部が設けられ、前記カムフォロアが前記撮影状態形成部を前記第２の摺動部へ向けて摺動されるときに前記被案内部が前記案内部に挿入されて摺動されることが望ましい。
【００２６】
これにより、カムフォロアが撮影状態形成部を摺動されるときに、被案内部が案内部に挿入されてカムフォロアが案内部に案内される。
【００２７】
第８に、上記したレンズ鏡筒においては、前記被案内部を前記カム溝の底面に押し付ける方向へ付勢する押付バネが設けられることが望ましい。
【００２８】
これにより、カムフォロアが撮影状態形成部を摺動されるときに、被案内部が案内部に押付バネの付勢力によって挿入される。
【００２９】
第９に、上記したレンズ鏡筒においては、前記カム溝に、光軸に直交する方向へ延び前記沈胴状態において前記カムフォロアが係合される沈胴状態形成部が形成され、前記沈胴状態形成部の中間部に前記第２の摺動部との交点が形成され、前記沈胴状態形成部の一端部に前記第１の摺動部との交点が形成され、前記沈胴状態形成部の底面における前記第２の摺動部との交点を横切る位置に溝状の案内部が形成され、前記カムフォロアに前記カム溝の深さ方向へ移動可能とされた被案内部が設けられ、前記カムフォロアが前記沈胴状態形成部を前記第１の摺動部へ向けて摺動されるときに前記被案内部が前記案内部に挿入されて摺動されることが望ましい。
【００３０】
これにより、カムフォロアが沈胴状態形成部を摺動されるときに、被案内部が案内部に挿入されてカムフォロアが案内部に案内される。
【００３１】
第１０に、上記したレンズ鏡筒においては、前記被案内部を前記カム溝の底面に押し付ける方向へ付勢する押付バネが設けられることが望ましい。
【００３２】
これにより、カムフォロアが沈胴状態形成部を摺動されるときに、被案内部が案内部に押付バネの付勢力によって挿入される。
【００３３】
本技術に係る撮像装置は、内部に撮影光学系が配置されたレンズ鏡筒と前記撮影光学系を介して取り込まれた光学像を電気的信号に変換する撮像素子とを備え、前記レンズ鏡筒は、光路長が最短にされた沈胴状態と前記沈胴状態より光路長が長くされた撮影状態との間で伸縮可能とされ、アクチュエーターによって光軸回り方向へ回転される第１の鏡筒と、前記第１の鏡筒を光軸回り方向へ回転自在に支持すると共に光軸方向へ移動可能に支持する第２の鏡筒とを備え、前記第１の鏡筒と前記第２の鏡筒は一方にカムフォロアが設けられ他方に前記カムフォロアが摺動自在に係合されるカム溝が形成され、前記第１の鏡筒が光軸回り方向へ回転されたときに前記カムフォロアが前記カム溝を摺動されることにより前記第１の鏡筒が前記第２の鏡筒に対して光軸方向へ移動可能とされ、前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、前記沈胴状態から前記撮影状態に遷移されるときに前記カムフォロアが前記第１の摺動部を摺動されて前記第１の鏡筒が前記第２の鏡筒に対して繰り出され、前記撮影状態から前記沈胴状態に遷移されるときに前記カムフォロアが前記第２の摺動部を摺動されて前記第１の鏡筒が前記第２の鏡筒に対して繰り込まれるものである。
【００３４】
これにより、レンズ鏡筒において、沈胴状態から撮影状態に遷移されるときの時間が短縮化されると共に撮影状態から沈胴状態に遷移されるときに必要なアクチュエーターの駆動力が沈胴状態から撮影状態に遷移されるときに必要なアクチュエーターの駆動力より低下される。
【発明の効果】
【００３５】
本技術によれば、沈胴状態から撮影状態に遷移されるときの時間が短縮化されると共に撮影状態から沈胴状態に遷移されるときに必要なアクチュエーターの駆動力が沈胴状態から撮影状態に遷移されるときに必要なアクチュエーターの駆動力より低下される。従って、アクチュエーターの負荷を必要最低限にした上で起動時間の短縮化を図ることができる。
【００３６】
尚、本明細書に記載された効果はあくまでも例示であって限定されるものではなく、他の効果があってもよい。
【図面の簡単な説明】
【００３７】
【図１】図２乃至図２６と共に本技術レンズ鏡筒及び撮像装置の実施の形態を示すものであり、本図は、レンズ鏡筒が沈胴状態にされている状態で示す撮像装置の斜視図である。
【図２】レンズ鏡筒が撮影状態にされている状態で示す撮像装置の斜視図である。
【図３】撮像装置を図１とは反対側から見た状態で示す斜視図である。
【図４】一部を省略して示すレンズ鏡筒の分解斜視図である。
【図５】レンズ鏡筒の概略分解断面図である。
【図６】沈胴状態におけるレンズ鏡筒の斜視図である。
【図７】撮影状態におけるレンズ鏡筒の斜視図である。
【図８】カムフォロアの拡大断面図である。
【図９】カム溝の概略図である。
【図１０】図９のＸ−Ｘ線に沿う拡大断面図である。
【図１１】図９のＸＩ−ＸＩ線に沿う拡大断面図である。
【図１２】図１３乃至図２４と共にレンズ鏡筒における動作を示すものであり、本図は、沈胴状態を示すレンズ鏡筒の概略断面図である。
【図１３】撮影状態を示すレンズ鏡筒の概略断面図である。
【図１４】沈胴状態において電源が投入される前のカムフォロアのカム溝に対する係合位置を示す概略図である。
【図１５】カムフォロアの被案内部がバネ配置穴に挿入されている状態を示す拡大断面図である。
【図１６】図１４に引き続き、沈胴状態から撮影状態に遷移される途中のカムフォロアのカム溝に対する係合位置を示す概略図である。
【図１７】図１６に引き続き、沈胴状態から撮影状態に遷移されたときのカムフォロアのカム溝に対する係合位置を示す概略図である。
【図１８】図１７に引き続き、撮影状態が保持されているときのカムフォロアのカム溝に対する係合位置を示す概略図である。
【図１９】図１８に引き続き、被案内部が案内部に案内されているときのカムフォロアのカム溝に対する係合位置を示す概略図である。
【図２０】カムフォロアの被案内部が案内部に挿入された状態を示す拡大断面図である。
【図２１】図１９に引き続き、撮影状態から沈胴状態に遷移される途中のカムフォロアのカム溝に対する係合位置を示す概略図である。
【図２２】図２１に引き続き、撮影状態から沈胴状態に遷移されたときのカムフォロアのカム溝に対する係合位置を示す概略図である。
【図２３】図２２に引き続き、撮影状態が保持されアクチュエーターの回転が反転されるときのカムフォロアのカム溝に対する係合位置を示す概略図である。
【図２４】図２３に引き続き、被案内部が案内部に案内されているときのカムフォロアのカム溝に対する係合位置を示す概略図である。
【図２５】付勢部としてマグネットが用いられた例を示す概略断面図である。
【図２６】撮像装置のブロック図である。
【発明を実施するための形態】
【００３８】
以下に、本技術を実施するための形態を添付図面を参照して説明する。
【００３９】
以下に示す実施の形態は、本技術撮像装置をスチルカメラに適用し、本技術レンズ鏡筒をこのスチルカメラに設けられたレンズ鏡筒に適用したものである。
【００４０】
尚、本技術の適用範囲はスチルカメラ及びスチルカメラに設けられたレンズ鏡筒に限られることはなく、例えば、ビデオカメラや他の機器に組み込まれる各種の撮像装置及びこれらの撮像装置に設けられるレンズ鏡筒に広く適用することができる。
【００４１】
以下の説明にあっては、スチルカメラの撮影時において撮影者から見た方向で前後上下左右の方向を示すものとする。従って、被写体側が前方となり、撮影者側が後方となる。
【００４２】
尚、以下に示す前後上下左右の方向は説明の便宜上のものであり、本技術の実施に関しては、これらの方向に限定されることはない。
【００４３】
また、以下に示すレンズ群は、単数又は複数のレンズにより構成されたものの他、これらの単数又は複数のレンズと絞りやアイリス等の他の光学素子を含んでもよい。
【００４４】
［撮像装置の構成］
先ず、撮像装置の概略構成について説明する（図１乃至図３参照）。
【００４５】
撮像装置１は、図１及び図２に示すように、装置本体２と装置本体２に前後方向（光軸方向）へ伸縮自在に支持されたレンズ鏡筒３とを備え、非撮影時等にレンズ鏡筒３が装置本体２に収納され（図１参照）、撮影時等にレンズ鏡筒３が装置本体２から前方へ突出される（図２参照）所謂沈胴タイプである。レンズ鏡筒３は装置本体２に収納される沈胴状態（図１参照）と装置本体２から前方へ突出される撮影状態（図２参照）との間で伸縮される。
【００４６】
このような沈胴タイプの撮像装置１にあっては、非撮影時における小型化（薄型化）と撮影時における良好な光学性能の確保とを両立させることができる。
【００４７】
装置本体２は、例えば、横長の扁平な筐体４の内外に所要の各部が配置されて成る（図１乃至図３参照）。
【００４８】
装置本体２の前面にはフラッシュ５が設けられている。装置本体２の上面にはシャッター釦６、ズームスイッチ７及び電源釦８が設けられている。装置本体２の後面にはディスプレイ９と各種の操作部１０、１０、・・・が設けられている。
【００４９】
［レンズ鏡筒の構成］
以下に、レンズ鏡筒３の構成について説明する（図４乃至図１１参照）。
【００５０】
＜全体の概略構成＞
レンズ鏡筒３は、第１の鏡筒１１、化粧リング１２、バリアカバー１３、バリア羽根１４、１４、受けリング１５、第２の鏡筒１６、後部鏡筒１７及びバネ部材１８を有している（図４乃至図７参照）。
【００５１】
レンズ鏡筒３は、沈胴状態において第２の鏡筒１６の内部に他の各部が繰り込まれて収納され（図６参照）、撮影状態において第２の鏡筒１６の内部に収納されていた各部が前方へ繰り出されて突出される（図７参照）。レンズ鏡筒３は沈胴状態において光路長が最短にされ撮影状態において光路長が沈胴状態より長くされている。
【００５２】
＜各部材の構成＞
第１の鏡筒１１は略円筒状に形成され、第１の鏡筒１１の後端寄りの位置には外方へ突出されたカムフォロア１９、１９、１９が光軸回り方向に離隔して設けられている（図４及び図５参照）。第１の鏡筒１１の外周面における後端部には光軸回り方向に延びるラック部１１ａが設けられている。第１の鏡筒１１は光軸回り方向へ回転可能かつ光軸方向へ移動可能にされている。
【００５３】
カムフォロア１９は摺動係合部２０と摺動係合部２０に対して第１の鏡筒１１の半径方向へ移動可能とされた被案内部２１とを有している（図８参照）。
【００５４】
摺動係合部２０には外方に開口されたバネ配置穴２０ａが形成されている。バネ配置穴２０ａには押付バネ２２が配置されている。押付バネ２２は、例えば、圧縮コイルバネであり、押付バネ２２によって摺動係合部２０と被案内部２１が連結されている。
【００５５】
被案内部２１は少なくとも一部がバネ配置穴２０ａに挿入された状態にされ、押付バネ２２によってバネ配置穴２０ａから突出される方向へ付勢されている。
【００５６】
化粧リング１２は第１の鏡筒１１より一回り大きい円筒状に形成されている（図４及び図５参照）。化粧リング１２は第１の鏡筒１１の後端側の部分を除く外周面を外側から覆うように配置され、第１の鏡筒１１に対して前後方向へ移動不能かつ相対的に回転可能とされている。従って、化粧リング１２は第１の鏡筒１１の光軸回り方向への回転時に第１の鏡筒１１に対して相対的に光軸回り方向へ回転され、第１の鏡筒１１と一体になって光軸方向へ移動される。
【００５７】
バリアカバー１３は外形が略円形状に形成され、略矩形の光透過孔１３ａを有している。バリアカバー１３は化粧リング１２の前端部に取り付けられている。
【００５８】
バリア羽根１４、１４はバリアカバー１３の後面に開閉自在に支持されている。バリア羽根１４、１４は図示しない開閉機構によって沈胴状態において閉じられ撮影状態において開かれる。従って、沈胴状態においてはバリア羽根１４、１４によってバリアカバー１３の光透過孔１３ａが閉塞され（図６参照）、撮影状態においてはバリア羽根１４、１４によって光透過孔１３ａが開放される（図７参照）。
【００５９】
レンズ鏡筒３の内部には最も前側に位置された撮影レンズ２３を含む複数のレンズ群が光軸方向に離隔して配置されており（図５及び図７参照）、バリア羽根１４、１４によって光透過孔１３ａが開放されると撮影レンズ２３に外部から光が入射される。
【００６０】
受けリング１５は外形が第１の鏡筒１１の後端部と略同じ大きさに形成された円環状の被支持部１５ａと被支持部１５ａから外方へ突出された被ガイド片部１５ｂ、１５ｂ、１５ｂとを有している（図４及び図５参照）。被ガイド片部１５ｂ、１５ｂ、１５ｂは光軸回り方向に離隔して設けられている。
【００６１】
受けリング１５は第１の鏡筒１１の後面に第１の鏡筒１１に対して前後方向へ移動不能かつ相対的に光軸回り方向へ回転可能な状態で支持されている。従って、受けリング１５は第１の鏡筒１１の光軸回り方向への回転時に第１の鏡筒１１に対して相対的に光軸回り方向へ回転され、第１の鏡筒１１と一体になって光軸方向へ移動される。
【００６２】
第２の鏡筒１６は化粧リング１２より一回り大きい略円筒状に形成され、筐体４の内部に固定された状態で配置されている。
【００６３】
第２の鏡筒１６の内周面には前後に延びる直進案内溝１６ａ、１６ａ、１６ａが光軸回り方向に離隔して形成されている。直進案内溝１６ａ、１６ａ、１６ａにはそれぞれ受けリング１５の被ガイド片部１５ｂ、１５ｂ、１５ｂが摺動自在に係合されている。従って、受けリング１５は直進案内溝１６ａ、１６ａ、１６ａに案内されて第１の鏡筒１１と一体になって光軸方向へ移動される。
【００６４】
第２の鏡筒１６の内周面にはカム溝２４、２４、２４が光軸回り方向に離隔して形成されている。
【００６５】
カム溝２４は最も後側に位置された沈胴状態形成部２５と沈胴状態形成部２５の一端部に連続された第１の摺動部２６と第１の摺動部２６の一端部に連続され最も後側に位置された撮影状態形成部２７と撮影状態形成部２７の一端部に連続された第２の摺動部２８とを有している（図９参照）。
【００６６】
沈胴状態形成部２５は光軸に直交する方向へ延びる状態で形成されている。沈胴状態形成部２５の他端部寄りの位置には撮影状態形成部２７の後端部が連続され、この連続された部分が交点Ｐ１として形成されている。沈胴状態形成部２５の底面２５ａには交点Ｐ１を横切る位置に、光軸に直交する方向へ延びる溝状の第１の案内部２９が形成されている。第１の案内部２９は底面２５ａの幅方向における中央部に形成され、長手方向における両端部が傾斜され両端部以外の部分が最も深くされている（図１０及び図１１参照）。
【００６７】
第１の摺動部２６は光軸に対して傾斜されており、後端部が沈胴状態形成部２５の一端部に連続され前端部が撮影状態形成部２７に連続されている（図９参照）。
【００６８】
撮影状態形成部２７は光軸に直交する方向へ延びる状態で形成され、長手方向における長さが沈胴状態形成部２５の長手方向における長さより短くされている。撮影状態形成部２７の他端部寄りの位置には第１の摺動部２６の前端部が連続され、この連続された部分が交点Ｐ２として形成されている。撮影状態形成部２７の底面２７ａには交点Ｐ２を横切る位置に、光軸に直交する方向へ延びる溝状の第２の案内部３０が形成されている。第２の案内部３０は底面２７ａの幅方向における中央部に形成され、長手方向における両端部が傾斜され両端部以外の部分が最も深くされている（図１０及び図１１参照）。
【００６９】
第２の摺動部２８は光軸に対して傾斜されており、前端部が撮影状態形成部２７に連続され後端部が沈胴状態形成部２５に連続されている（図９参照）。第２の摺動部２８は光軸に対する傾斜角度が第１の摺動部２６の光軸に対する傾斜角度より大きくされている。従って、第１の摺動部２６は光軸に対する傾斜角度が第２の摺動部２８の光軸に対する傾斜角度より小さくされ、長手方向における長さが第２の摺動部２８の長手方向における長さより短くされている。
【００７０】
第２の鏡筒１６のカム溝２４、２４、２４にはそれぞれ第１の鏡筒１１のカムフォロア１９、１９、１９が摺動自在に係合されている。尚、第２の鏡筒１６にはカム溝カム溝２４、２４、２４にそれぞれカムフォロア１９、１９、１９を係合させるための図示しない導入溝が形成されている。導入溝は撮影状態形成部２７の第２の摺動部２８と反対側の端部に連続され、第２の鏡筒１６の前端において前方に開口されている。
【００７１】
後部鏡筒１７は略前後方向を向く円板状のベース面部３１とベース面部３１の外周部に連続して設けられたモーター取付部３２とを有し（図５乃至図７参照）、筐体４の内部に固定された状態で配置されている。
【００７２】
ベース面部３１の中央部には撮像素子３３が取り付けられている。ベース面部３１の外周部には前後に延びる図示しない伝達ギヤが支持されている。
【００７３】
モーター取付部３２にはアクチュエーター３４として駆動モーターが取り付けられると共にギヤやウォーム等の図示しない駆動伝達部が支持されている。アクチュエーター３４の駆動力は駆動伝達部を介して伝達ギヤに伝達される。
【００７４】
後部鏡筒１７のベース面部３１に支持された伝達ギヤは第２の鏡筒１６の内部に位置された状態で第１の鏡筒１１のラック部１１ａに噛合されている。従って、アクチュエーター３４の駆動力が駆動伝達部及び伝達ギヤを介してラック部１１ａに伝達されて第１の鏡筒１１が第２の鏡筒１６に対して光軸回り方向へ回転される。
【００７５】
第１の鏡筒１１が光軸回り方向へ回転されると、カムフォロア１９、１９、１９がそれぞれカム溝２４、２４、２４を摺動される。第１の鏡筒１１は、カムフォロア１９がカム溝２４の沈胴状態形成部２５又は撮影状態形成部２７を摺動されるときには光軸方向へ移動されず、カムフォロア１９がカム溝２４の第１の摺動部２６又は第２の摺動部２８を摺動されるときには光軸方向へ移動される。
【００７６】
また、カムフォロア１９の光軸方向への移動は、第１の摺動部２６の光軸に対する傾斜角度が第２の摺動部２８の光軸に対する傾斜角度より小さくされているため、カムフォロア１９の第１の摺動部２６に対する摺動時の方がカムフォロア１９の第２の摺動部２８に対する摺動時よりも高速で行われる。
【００７７】
バネ部材１８は、例えば、圧縮コイルバネであり、外径が受けリング１５の被支持部１５ａの外径と略同じ大きさに形成されている。バネ部材１８は軸方向における両端部がそれぞれ被支持部１５ａと後部鏡筒１７におけるベース面部３１の外周部とに押し付けられた状態で第２の鏡筒１６の内部に配置されている。従って、第１の鏡筒１１は受けリング１５を介してバネ部材１８によって第２の鏡筒１６に対して繰り出される方向（前方）へ付勢され、バネ部材１８は第１の鏡筒１１を付勢する付勢部として機能する。
【００７８】
［レンズ鏡筒のズーミング時における動作］
以下に、レンズ鏡筒３のズーミング時における各部の動作について説明する（図１２乃至図２４参照）。尚、ズーミング時には撮像レンズ２３を含む複数のレンズ群のうち所定のレンズ群が図示しない機構によって光軸方向へ移動されるが、以下には、レンズ群の移動については省略する。
【００７９】
上記のように構成されたレンズ鏡筒３は沈胴状態（図６及び図１２参照）と撮影状態（図７及び図１３参照）の間で伸縮するように動作される。
【００８０】
電源が投入される前の沈胴状態（図１２参照）においては、第１の鏡筒１１のカムフォロア１９、１９、１９がそれぞれ第２の鏡筒１６のカム溝２４、２４、２４における沈胴状態形成部２５、２５、２５の第１の摺動部２６、２６、２６寄りの位置に係合されている（図１４参照）。このときカムフォロア１９の被案内部２１は沈胴状態形成部２５の底面２５ａに押付バネ２２の付勢力によって押し付けられており、バネ配置穴２０ａに位置されている（図１５参照）。
【００８１】
沈胴状態において装置本体２の電源釦８が操作されて電源が投入されると、アクチュエーター３４の駆動力によって第１の鏡筒１１が光軸回り方向へ回転される。第１の鏡筒１１が光軸回り方向へ回転されると、第１の鏡筒１１はカムフォロア１９が第２の鏡筒１６のカム溝２４における沈胴状態形成部２５から第１の摺動部２６を摺動される（図１６参照）。カムフォロア１９が第１の摺動部２６を摺動されるときには、第１の鏡筒１１が第２の鏡筒１６に対して高速で前方（光軸方向）へ移動されていく。
【００８２】
このとき第１の鏡筒１１は移動方向と同じ方向へバネ部材１８によって付勢されているため、アクチュエーター３４の駆動力とバネ部材１８の付勢力との合力によって前方へ移動される。
【００８３】
従って、カムフォロア１９が光軸に対する傾斜角度の小さい第１の摺動部２６を摺動される場合においても、アクチュエーター３４の大きな駆動力によらずに第１の鏡筒１１を移動させることができ、アクチュエーター３４の小型化及び沈胴状態から撮影状態への遷移を確実に行うことができる。
【００８４】
また、付勢部としてバネ部材１８が用いられているため、付勢部の構造が簡素であり、製造コストの高騰を来すことなくアクチュエーター３４の小型化及び沈胴状態から撮影状態への遷移を確実に行うことができる。
【００８５】
第１の鏡筒１１は引き続き回転され、カムフォロア１９が第１の摺動部２６と撮影状態形成部２７の交点Ｐ２まで摺動される（図１７参照）。カムフォロア１９が交点Ｐ２まで摺動されることにより撮影状態に遷移される。
【００８６】
引き続き、カムフォロア１９は撮影状態形成部２７を第２の摺動部２８側と反対側の端部まで摺動される（図１８参照）。カムフォロア１９が撮影状態形成部２７を摺動されるときには第１の鏡筒１１は光軸方向へ移動されない。
【００８７】
カムフォロア１９が撮影状態形成部２７における第２の摺動部２８側と反対側の端部まで摺動されると、アクチュエーター３４が停止され、レンズ鏡筒３は第１の鏡筒１１が第２の鏡筒１６から繰り出された撮影状態において保持される（図１３参照）。
【００８８】
撮影状態においては、使用者は被写体の撮影等の所要の操作を装置本体２に対して行うことができる。
【００８９】
一方、撮影状態において装置本体２の電源釦８が操作されると、アクチュエーター３４の駆動力によって第１の鏡筒１１が光軸回り方向へ回転される。このときアクチュエーター３４（駆動モーター）は先程とは反対方向へ回転される。第１の鏡筒１１が光軸回り方向へ回転されると、カムフォロア１９が撮影状態形成部２７を第２の摺動部２８へ向けて摺動される（図１９参照）。カムフォロア１９が撮影状態形成部２７を摺動されるときには、第１の鏡筒１１は光軸回り方向へ回転されるが光軸方向へは移動されないため撮影状態が保持される。
【００９０】
このとき撮影状態形成部２７が直線状に形成されているため、カムフォロア１９が撮影状態形成部２７を第２の摺動部２８へ向けて摺動し易く、カムフォロア１９が誤って撮影状態形成部２７から第１の摺動部２６を摺動され難く、簡素な構造により撮影状態から沈胴状態への遷移動作の信頼性の向上を図ることができる。
【００９１】
また、カムフォロア１９が撮影状態形成部２７を摺動されるときには、撮影状態形成部２７に形成された第２の案内部３０上をカムフォロア１９が通過されるため、被案内部２１が押付バネ２２の付勢力によってバネ配置穴２０ａから突出されて第２の案内部３０に挿入される（図２０参照）。
【００９２】
このようにカムフォロア１９が撮影状態形成部２７を摺動されるときには、被案内部２１が第２の案内部３０に挿入されるため、カムフォロア１９が誤って撮影状態形成部２７から第１の摺動部２６を摺動されることがなく、撮影状態から沈胴状態への遷移動作の一層の信頼性の向上を図ることができる。
【００９３】
さらに、カムフォロア１９には被案内部２１をカム溝２４の底面に押し付ける方向へ付勢する押付バネ２２が設けられているため、被案内部２１が第２の案内部３０に確実に挿入されて案内され、撮影状態から沈胴状態への遷移動作を確実に行うことができる。
【００９４】
カムフォロア１９が第２の案内部３０を通過して第２の摺動部２８へ向けて摺動されていくと、被案内部２１が撮影状態形成部２７の底面２７ａに接して押付バネ２２の付勢力に反してバネ配置穴２０ａに再び挿入される。
【００９５】
引き続きカムフォロア１９は撮影状態形成部２７から第２の摺動部２８を摺動される（図２１参照）。カムフォロア１９が第２の摺動部２８を摺動されるときには、第１の摺動部２６を摺動されるときより第１の鏡筒１１が第２の鏡筒１６に対して低速で後方（光軸方向）へ移動されていく。
【００９６】
このとき第１の鏡筒１１は移動方向と反対方向へバネ部材１８によって付勢されているが、第２の摺動部２８の光軸に対する傾斜角度が大きくされているため、その分、アクチュエーター３４の駆動力が小さくて済み、バネ部材１８の付勢力に反してもアクチュエーター３４の駆動力によって第１の鏡筒１１を後方へ移動させることができる。
【００９７】
第１の鏡筒１１はカムフォロア１９が第２の摺動部２８と沈胴状態形成部２５の交点Ｐ１まで摺動される（図２２参照）。カムフォロア１９が交点Ｐ１まで摺動されることにより沈胴状態に遷移される。
【００９８】
引き続き、カムフォロア１９は沈胴状態形成部２５を第１の摺動部２６側と反対側の端部まで摺動される（図２３参照）。カムフォロア１９が沈胴状態形成部２５を摺動されるときには第１の鏡筒１１は光軸方向へ移動されない。
【００９９】
カムフォロア１９が沈胴状態形成部２５における第１の摺動部２６側と反対側の端部まで摺動されると、アクチュエーター３４の回転方向が切り替えられる。アクチュエーター３４の回転方向が切り替えられることにより、第１の鏡筒１１はカムフォロア１９が沈胴状態形成部２５を第１の摺動部２６へ向けて摺動される（図２４参照）。カムフォロア１９が沈胴状態形成部２５を摺動されるときには、第１の鏡筒１１は光軸回り方向へ回転されるが光軸方向へは移動されないため、沈胴状態が保持される。
【０１００】
このとき沈胴状態形成部２５が直線状に形成されているため、カムフォロア１９が沈胴状態形成部２５を第１の摺動部２６へ向けて摺動し易く、カムフォロア１９が誤って沈胴状態形成部２５から第２の摺動部２８を摺動され難く、簡素な構造により沈胴状態を保持する動作の信頼性の向上を図ることができる。
【０１０１】
また、カムフォロア１９が沈胴状態形成部２５を摺動されるときには、沈胴状態形成部２５に形成された第１の案内部２９上をカムフォロア１９が通過されるため、被案内部２１が押付バネ２２の付勢力によってバネ配置穴２０ａから突出されて第１の案内部２９に挿入される（図２０参照）。
【０１０２】
このようにカムフォロア１９が沈胴状態形成部２５を摺動されるときには、被案内部２１が第１の案内部２９に挿入されるため、カムフォロア１９が誤って沈胴状態形成部２５から第２の摺動部２８を摺動されることがなく、沈胴状態を保持する動作の一層の信頼性の向上を図ることができる。
【０１０３】
さらに、カムフォロア１９には被案内部２１をカム溝２４の底面に押し付ける方向へ付勢する押付バネ２２が設けられているため、被案内部２１が第１の案内部２９に確実に挿入されて案内され、沈胴状態を保持する動作を確実に行うことができる。
【０１０４】
カムフォロア１９が第１の案内部２９を通過して第１の摺動部２６へ向けて摺動されていくと、被案内部２１が沈胴状態形成部２５の底面２５ａに接して押付バネ２２の付勢力に反してバネ配置穴２０ａに再び挿入される。
【０１０５】
引き続きアクチュエーター３４の駆動力によって第１の鏡筒１１が回転され、カムフォロア１９が沈胴状態形成部２５の第１の摺動部２６寄りの位置まで摺動されたところでアクチュエーター３４の回転が停止され、第１の鏡筒１１の光軸回り方向への回転が停止され、カムフォロア１９が電源投入前の元の位置に戻る（図１４参照）。
【０１０６】
カムフォロア１９が電源投入前の元の位置に戻ることにより、レンズ鏡筒３は第１の鏡筒１１が第２の鏡筒１６に繰り込まれた沈胴状態において保持される（図１２参照）。
【０１０７】
［その他］
上記には、第１の鏡筒１１にカムフォロア１９が設けられ第２の鏡筒１６にカムフォロア１９が摺動自在に係合されるカム溝２４が形成された例を示したが、逆に、第２の鏡筒にカムフォロアが設けられ第１の鏡筒にカムフォロアが摺動自在に係合されるカム溝が形成されていてもよい。
【０１０８】
また、上記には、第１の鏡筒１１と第２の鏡筒１６の二つの鏡筒が設けられたレンズ鏡筒３を例として示したが、鏡筒の数は二つに限られることはなく、三つ以上の鏡筒が設けられ、このうちの一つの鏡筒のカム溝に、光軸に対する傾斜角度が異なる第１の摺動部と第２の摺動部が形成されていればよい。
【０１０９】
さらにまた、上記には、第１の鏡筒１１を前方へ付勢する付勢部として圧縮コイルバネであるバネ部材１８を用いた例を示したが、付勢部は圧縮コイルバネに限られることはなく、板バネやゴム等の他の手段が用いられていてもよい。
【０１１０】
例えば、付勢部としてマグネット３５、３５が用いられていてもよい（図２５参照）。マグネット３５、３５は円環状に形成され、それぞれ受けリング１５の後面と後部鏡筒１７におけるベース面部３１の前面に取り付けられ磁力が互いに反発する状態で配置されている。第１の鏡筒１１はマグネット３５、３５の互いに反発する力によって第２の鏡筒１６に対して繰り出される方向（前方）へ付勢される。
【０１１１】
このように付勢部としてマグネット３５、３５を用いることにより、付勢部の構造が簡素であり、製造コストの高騰を来すことなくアクチュエーター３４の小型化及び沈胴状態から撮影状態への遷移を確実に行うことができる。
【０１１２】
［まとめ］
以上に記載した通り、撮像装置１にあっては、カム溝２４において第１の摺動部２６の光軸に対する傾斜角度が第２の摺動部２８の光軸に対する傾斜角度より小さくされ、沈胴状態から撮影状態に遷移されるときにカムフォロア１９が第１の摺動部２６を摺動されて第１の鏡筒１１が第２の鏡筒１６に対して繰り出され、撮影状態から沈胴状態に遷移されるときにカムフォロア１９が第２の摺動部２８を摺動されて第１の鏡筒１１が第２の鏡筒１６に対して繰り込まれる。
【０１１３】
従って、沈胴状態から撮影状態に遷移されるときの時間が短縮化されると共に撮影状態から沈胴状態に遷移されるときに必要なアクチュエーター３４の駆動力が沈胴状態から撮影状態に遷移されるときに必要なアクチュエーター３４の駆動力より低下され、アクチュエーター３４の負荷を必要最低限にした上で起動時間の短縮化を図ることができる。
【０１１４】
［撮像装置の一実施形態］
図２６に、本技術撮像装置の一実施形態によるスチルカメラ（デジタルスチルカメラ）のブロック図を示す。
【０１１５】
撮像装置（デジタルスチルカメラ）１００（撮像装置１）は、撮像機能を担うカメラブロック５０と、撮影された画像信号のアナログ−デジタル変換等の信号処理を行うカメラ信号処理部５１と、画像信号の記録再生処理を行う画像処理部５２とを有している。また、撮像装置１００は、撮影された画像等を表示するＬＣＤ（Liquid Crystal Display）等の表示部５３（ディスプレイ９）と、メモリーカード１０００への画像信号の書込及び読出を行うＲ／Ｗ（リーダ／ライタ）５４と、撮像装置１００の全体を制御するＣＰＵ（Central Processing Unit）５５と、ユーザーによって所要の操作が行われる各種のスイッチ等から成る入力部５６（シャッター釦６、ズームスイッチ７及び操作部１０、１０、・・・）と、カメラブロック５０に配置されたレンズの駆動を制御するレンズ駆動制御部５７とを備えている。
【０１１６】
カメラブロック５０は、レンズ群５８を含む光学系や、ＣＣＤ（Charge Coupled Device）やＣＭＯＳ（Complementary Metal-Oxide Semiconductor）等の撮像素子５９（撮像素子３３）等とによって構成されている。
【０１１７】
カメラ信号処理部５１は、撮像素子５９からの出力信号に対するデジタル信号への変換、ノイズ除去、画質補正、輝度・色差信号への変換等の各種の信号処理を行う。
【０１１８】
画像処理部５２は、所定の画像データーフォーマットに基づく画像信号の圧縮符号化・伸張復号化処理や解像度等のデーター仕様の変換処理等を行う。
【０１１９】
表示部５３はユーザーの入力部５６に対する操作状態や撮影した画像等の各種のデーターを表示する機能を有している。
【０１２０】
Ｒ／Ｗ５４は、画像処理部５２によって符号化された画像データーのメモリーカード１０００への書込及びメモリーカード１０００に記録された画像データーの読出を行う。
【０１２１】
ＣＰＵ５５は、撮像装置１００に設けられた各回路ブロックを制御する制御処理部として機能し、入力部５６からの指示入力信号等に基づいて各回路ブロックを制御する。
【０１２２】
入力部５６は、例えば、シャッター操作を行うためのシャッターレリーズボタンや、動作モードを選択するための選択スイッチ等によって構成され、ユーザーによる操作に応じた指示入力信号をＣＰＵ５５に対して出力する。
【０１２３】
レンズ駆動制御部５７は、ＣＰＵ５５からの制御信号に基づいてレンズ群５８の各レンズを駆動する図示しないモータ等を制御する。
【０１２４】
メモリーカード１０００は、例えば、Ｒ／Ｗ５４に接続されたスロットに対して着脱可能な半導体メモリーである。
【０１２５】
以下に、撮像装置１００における動作を説明する。
【０１２６】
撮影の待機状態では、ＣＰＵ５５による制御の下で、カメラブロック５０において撮影された画像信号が、カメラ信号処理部５１を介して表示部５３に出力され、カメラスルー画像として表示される。また、入力部５６からのズーミングのための指示入力信号が入力されると、ＣＰＵ５５がレンズ駆動制御部５７に制御信号を出力し、レンズ駆動制御部５７の制御に基づいてレンズ群５８の所定のレンズが移動される。
【０１２７】
入力部５６からの指示入力信号によりカメラブロック５０の図示しないシャッターが動作されると、撮影された画像信号がカメラ信号処理部５１から画像処理部５２に出力されて圧縮符号化処理され、所定のデーターフォーマットのデジタルデーターに変換される。変換されたデーターはＲ／Ｗ５４に出力され、メモリーカード１０００に書き込まれる。
【０１２８】
フォーカシングは、例えば、入力部５６のシャッターレリーズボタンが半押しされた場合や記録（撮影）のために全押しされた場合等に、ＣＰＵ５５からの制御信号に基づいてレンズ駆動制御部５７がレンズ群５８の所定のレンズを移動させることにより行われる。
【０１２９】
メモリーカード１０００に記録された画像データーを再生する場合には、入力部５６に対する操作に応じて、Ｒ／Ｗ５４によってメモリーカード１０００から所定の画像データーが読み出され、画像処理部５２によって伸張復号化処理が行われた後、再生画像信号が表示部５３に出力されて再生画像が表示される。
【０１３０】
［本技術］
本技術は、以下のような構成にすることもできる。
【０１３１】
（１）
光路長が最短にされた沈胴状態と前記沈胴状態より光路長が長くされた撮影状態との間で伸縮可能とされ、
アクチュエーターによって光軸回り方向へ回転される第１の鏡筒と、
前記第１の鏡筒を光軸回り方向へ回転自在に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
レンズ鏡筒。
【０１３２】
（２）
前記第１の鏡筒を前記第２の鏡筒に対して繰り出す方向へ付勢する付勢部が設けられた
前記（１）に記載のレンズ鏡筒。
【０１３３】
（３）
前記付勢部としてバネ部材が用いられた
前記（２）に記載のレンズ鏡筒。
【０１３４】
（４）
前記付勢部としてマグネットが用いられた
前記（２）に記載のレンズ鏡筒。
【０１３５】
（５）
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成された
前記（１）から前記（４）の何れかに記載のレンズ鏡筒。
【０１３６】
（６）
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成された
前記（１）から前記（５）の何れかに記載のレンズ鏡筒。
【０１３７】
（７）
前記カム溝に、光軸に直交する方向へ延び前記撮影状態において前記カムフォロアが係合される撮影状態形成部が形成され、
前記撮影状態形成部の中間部に前記第１の摺動部との交点が形成され、
前記撮影状態形成部の一端部に前記第２の摺動部との交点が形成され、
前記撮影状態形成部の底面における前記第１の摺動部との交点を横切る位置に溝状の案内部が形成され、
前記カムフォロアに前記カム溝の深さ方向へ移動可能とされた被案内部が設けられ、
前記カムフォロアが前記撮影状態形成部を前記第２の摺動部へ向けて摺動されるときに前記被案内部が前記案内部に挿入されて摺動される
前記（１）から前記（６）の何れかに記載のレンズ鏡筒。
【０１３８】
（８）
前記被案内部を前記カム溝の底面に押し付ける方向へ付勢する押付バネが設けられた
前記（７）に記載のレンズ鏡筒。
【０１３９】
（９）
前記カム溝に、光軸に直交する方向へ延び前記沈胴状態において前記カムフォロアが係合される沈胴状態形成部が形成され、
前記沈胴状態形成部の中間部に前記第２の摺動部との交点が形成され、
前記沈胴状態形成部の一端部に前記第１の摺動部との交点が形成され、
前記沈胴状態形成部の底面における前記第２の摺動部との交点を横切る位置に溝状の案内部が形成され、
前記カムフォロアに前記カム溝の深さ方向へ移動可能とされた被案内部が設けられ、
前記カムフォロアが前記沈胴状態形成部を前記第１の摺動部へ向けて摺動されるときに前記被案内部が前記案内部に挿入されて摺動される
前記（１）から前記（８）の何れかに記載のレンズ鏡筒。
【０１４０】
（１０）
前記被案内部を前記カム溝の底面に押し付ける方向へ付勢する押付バネが設けられた
前記（９）に記載のレンズ鏡筒。
【０１４１】
（１１）
内部に撮影光学系が配置されたレンズ鏡筒と前記撮影光学系を介して取り込まれた光学像を電気的信号に変換する撮像素子とを備え、
前記レンズ鏡筒は、
光路長が最短にされた沈胴状態と前記沈胴状態より光路長が長くされた撮影状態との間で伸縮可能とされ、
アクチュエーターによって光軸回り方向へ回転される第１の鏡筒と、
前記第１の鏡筒を光軸回り方向へ回転自在に支持すると共に光軸方向へ移動可能に支持する第２の鏡筒とを備え、
前記第１の鏡筒と前記第２の鏡筒は一方にカムフォロアが設けられ他方に前記カムフォロアが摺動自在に係合されるカム溝が形成され、
前記第１の鏡筒が光軸回り方向へ回転されたときに前記カムフォロアが前記カム溝を摺動されることにより前記第１の鏡筒が前記第２の鏡筒に対して光軸方向へ移動可能とされ、
前記カム溝は光軸に対してそれぞれ傾斜された第１の摺動部と第２の摺動部を有すると共に前記第１の摺動部の光軸に対する傾斜角度が前記第２の摺動部の光軸に対する傾斜角度より小さくされ、
前記沈胴状態から前記撮影状態に遷移されるときに前記カムフォロアが前記第１の摺動部を摺動されて前記第１の鏡筒が前記第２の鏡筒に対して繰り出され、
前記撮影状態から前記沈胴状態に遷移されるときに前記カムフォロアが前記第２の摺動部を摺動されて前記第１の鏡筒が前記第２の鏡筒に対して繰り込まれる
撮像装置。
【符号の説明】
【０１４２】
１…撮像装置、３…レンズ鏡筒、１１…第１の鏡筒、１６…第２の鏡筒、１８…バネ部材（付勢部）、１９…カムフォロア、２１…被案内部、２２…押付バネ、２４…カム溝、２５…沈胴状態形成部、２５ａ…底面、２６…第１の摺動部、２７…撮影状態形成部、２７ａ…底面、２８…第２の摺動部、２９…第１の案内部、３０…第２の案内部、３３…撮像素子、３４…アクチュエーター、３５…マグネット（付勢部）、１００…撮像装置、５９…撮像素子
【図１】
2015055726.tif 000003
【図２】
2015055726.tif 000004
【図３】
2015055726.tif 000005
【図４】
2015055726.tif 000006
【図５】
2015055726.tif 000007
【図６】
2015055726.tif 000008
【図７】
2015055726.tif 000009
【図８】
2015055726.tif 000010
【図９】
2015055726.tif 000011
【図１０】
2015055726.tif 000012
【図１１】
2015055726.tif 000013
【図１２】
2015055726.tif 000014
【図１３】
2015055726.tif 000015
【図１４】
2015055726.tif 000016
【図１５】
2015055726.tif 000017
【図１６】
2015055726.tif 000018
【図１７】
2015055726.tif 000019
【図１８】
2015055726.tif 000020
【図１９】
2015055726.tif 000021
【図２０】
2015055726.tif 000022
【図２１】
2015055726.tif 000023
【図２２】
2015055726.tif 000024
【図２３】
2015055726.tif 000025
【図２４】
2015055726.tif 000026
【図２５】
2015055726.tif 000027
【図２６】
2015055726.tif 000028